(57)【特許請求の範囲】
【請求項１】
内部に液体を収容した容器本体前方の首部の先端部を閉塞状態となし、該閉塞部を針ピンにより開口し吐出孔を形成するようなした液体容器において、前記閉塞部を厚肉部と中心から放射状に形成した薄肉部とよりなし、前記針ピンを閉塞部に刺すことにより、薄肉部を引き裂き吐出孔を形成するようなすと共に、前記針ピンの外周にガイド部材を設けることにより、針ピンを閉塞部に刺す際、ガイド部材により前記首部先端を外周方向に拡開し、薄肉部の引き裂きを促進するようなした液体容器。
【請求項２】
ガイド部材の先端部外周及び／又は首部先端内周をテーパー状となした請求項１記載の液体容器。
【発明の詳細な説明】
【０００１】
【発明の属する技術分野】
本発明は、シアノアクリレート系瞬間接着剤や、修正液や、しみ抜き液などの液体容器、特に、容器本体内の液を吐出させるに際し、吐出孔よりの液の過剰吐出を制御することができる液体容器に関するものである。
【０００２】
【従来の技術】
従来、この種の容器、例えば瞬間接着剤用容器は、空気中の水分を吸収すると液が固化して使用できなくなるため、一般に、液体を密閉状態となしていた。具体的には、容器本体前方の首部の先端部を閉塞状態となし、ユーザーが使用を開始する際又は製造後工場よりの出荷時に、閉塞部を針ピンにより刺して開口し吐出孔を形成していた。
【０００３】
【発明が解決しようとする課題】
吐出孔の形成は、単に閉塞部を針ピンにより刺し開口するものであるため、開口した吐出孔の断面形状は単純な形状（丸形）となり、使用する液体が低粘度液体の場合には、過剰吐出が生じるという問題があった。
【０００４】
【課題を解決するための手段】
本発明の目的は、使用する液体が低粘度液体であっても、過剰吐出を極力防止した液体容器を提供することであり、そのために、容器本体前方の首部の先端部に形成する閉塞部を工夫したものであって、内部に液体を収容した容器本体前方の首部の先端部を閉塞状態となし、該閉塞部を針ピンにより開口し吐出孔を形成するようなした液体容器において、前記閉塞部を厚肉部と中心から放射状に形成した薄肉部とよりなし、前記針ピンを閉塞部に刺すことにより、薄肉部を引き裂き吐出孔を形成するようなすと共に、前記針ピンの外周にガイド部材を設けることにより、針ピンを閉塞部に刺す際、ガイド部材により前記首部先端を外周方向に拡開し、薄肉部の引き裂きを促進するようなした液体容器をその要旨とするものである。
【０００５】
【作用】
針ピンにより、閉塞部の中心から放射状に形成した薄肉部を引き裂き吐出孔を形成するようなしたので、形成される吐出孔は、スリット状となり、該部分において液体の通過が制限されるため、液体の吐出量を制御することができ、過剰吐出を極力防止することができる。
【０００６】
図１乃至図９は、本発明の従来の技術を示す参考例である。
参照符号１は、シアノアクリレート系瞬間接着剤のように空気中の水分を吸収すると液が固化して使用できなくなるような液体や、修正液などのように乾燥すると固化し、再使用に時間を要するような液体や、インキや、化粧液や、しみ抜き液などの液体を内部に収容した容器本体であって、前方には首部２を止着（図中は螺合）している。首部２の先端部には、閉塞部３を有している。容器本体１、首部２、閉塞部３は、ポリエチレン、ポリプロピレン、ポリエチレンテレフタレート、ナイロン等の合成樹脂で構成することが、吐出孔よりの液の過剰吐出を制御する効果が大きいので好ましく、液体の吐出を容易になすために、容器本体１は、その少なくとも一部が弾性復元力を有するよう構成することがさらに好ましい。
閉塞部３は、厚肉部４と薄肉部５とにより構成しており、薄肉部５のＡ−Ａ端面形状は、中心から外方に向かい放射状に形成している（図３、図４参照）。
尚、図２では、薄肉部５は、閉塞部の外側を切削したような形状に形成しているが、内側または両側を切削したような形状に形成してもよい。又、薄肉部の数は２個以上が好ましく、２個の場合は中心を通過する直線状であってもよい。更に、好ましくは３個以上で、この場合に吐出孔よりの液の過剰吐出を制御することが極めて容易となる。
尚、液体の粘度としては０．３ｃｐｓ〜５０ｃｐｓの広範囲にわたり使用可能であるが、本発明は、特に、０．３ｃｐｓ〜１０ｃｐｓのように低粘度液体において特に効果を発揮する。
【０００７】
図５は、閉塞部３を針ピン６により刺し、開口し、吐出孔を形成する際の状態を示す図であって、針ピン６を閉塞部３に刺す際に、閉塞部３は針ピン６の圧力により容器本体内方向（図中右方向）に移動しつつ針ピン６の先端によって刺されることとなるが、針ピン６によって刺された閉塞部３の薄肉部５は引き裂かれ、針ピン６を抜くとスリット状の吐出孔７が形成される（図７参照）。
尚、針ピン６は、単体であっても、図６に示すようにキャップ８の内天面に設けてもよい。
【０００８】
上記参考例にあっては、種々の変形がある。
例えば、前記参考例において、閉塞部３の薄肉部５は、Ａ−Ａ端面の中心において薄肉部５が収斂するようなしたが、Ａ−Ａ端面の中心を薄肉部５ａとなし、該薄肉部５ａより放射状に更に薄肉部５を形成（図８、図９参照）してもよい。又、前記参考例においては、閉塞部３を容器本体１内方に向かい凹み状となしたが、これは針ピン６による薄肉部５の引き裂き性をより向上させるためであり、平面状であってもよい。
【０００９】
図１０乃至図１３は、本発明の実施例である。
本例は、針ピン６による薄肉部５の引き裂き性をより向上させた例である。
首部２の先端部の閉塞部３は、前記参考例（図２乃至図４）と同様にＢ−Ｂ端面の中心において薄肉部５が収斂するようなしており、又、針ピン６の外周にはガイド部材９を設け、更に、ガイド部材９の先端部外周と首部２先端内周をテーパー状となしたものである。よって、針ピン６を閉塞部３に刺す際、ガイド部材９により首部２先端を外周方向に拡開し（図１２参照）、薄肉部５の引き裂きを促進することができるものである。
尚、ガイド部材９を首部２の先端に挿入時、首部２先端を外周方向に拡開させることができれば他の手段を採用してもよく、又、テーパー状部は、ガイド部材９の先端部外周もしくは首部２先端内周の何れかに形成するものであってもよい。
又、本例においても、前記参考例と同様、閉塞部３の薄肉部５を、Ｂ−Ｂ端面の中心において薄肉部５が収斂するようなしたが、Ｂ−Ｂ端面の中心を薄肉部５ａとなし、該薄肉部５より放射状に更に薄肉部５を形成（図１３参照）してもよい。
【００１０】
【発明の効果】
本発明の液体容器は、内部に液体を収容した容器本体前方の首部の先端部を閉塞状態となし、該閉塞部を針ピンにより開口し吐出孔を形成するようなした液体容器において、前記閉塞部を厚肉部と中心から放射状に形成した薄肉部とよりなし、前記針ピンを閉塞部に刺すことにより、薄肉部を引き裂き吐出孔を形成するようなすと共に、前記針ピンの外周にガイド部材を設けることにより、針ピンを閉塞部に刺す際、ガイド部材により前記首部先端を外周方向に拡開し、薄肉部の引き裂きを促進するようなしたので、形成される吐出孔は、スリット状となり、該部分において液体の通過が制限されるため、液体の吐出量を制御することができ、過剰吐出を極力防止することができるという効果を有するものである。
【図面の簡単な説明】
【図１】  従来の参考例の液体容器の縦断面図。
【図２】  首部の要部縦断面図。
【図３】  図２のＡ−Ａ端面図。
【図４】  首部の部分切断拡大斜視図。
【図５】  針ピンにより閉塞部を刺した状態の要部縦断面図。
【図６】  閉塞部より針ピンを抜いた正面図。
【図７】  針ピンの他の参考例を示す縦断面図。
【図８】  他の参考例を示す図３相当図。
【図９】  図８の参考例の図４相当図。
【図１０】  本発明の実施例を示す要部縦断面図。
【図１１】  図１０の実施例のＢ−Ｂ端面図。
【図１２】  実施例の針ピンにより閉塞部を刺した状態を示す要部縦断面図。
【図１３】  他の実施例を示す図８相当図。
【符号の説明】
１  容器本体
２  首部
３  閉塞部
４  厚肉部
５  薄肉部
５ａ  薄肉部
６  針ピン
７  吐出孔
８  キャップ
９  ガイド部材
【図１】
0004149612.tif 000002
【図２】
0004149612.tif 000003
【図３】
0004149612.tif 000004
【図４】
0004149612.tif 000005
【図５】
0004149612.tif 000006
【図６】
0004149612.tif 000007
【図７】
0004149612.tif 000008
【図８】
0004149612.tif 000009
【図９】
0004149612.tif 000010
【図１０】
0004149612.tif 000011
【図１１】
0004149612.tif 000012
【図１２】
0004149612.tif 000013
【図１３】
0004149612.tif 000014